(57)【要約】【課題】確実に釣竿をホールドすることができると共に、簡単な操作により釣竿のロックを容易に解除する釣竿支持装置の提供。【解決手段】釣竿支持装置１０は、ベース１６と、スライダー１２と、ベース１６に設けられた揺動アーム１４、１５と、揺動アーム１４、１５を駆動するリンク機構１３と、揺動アーム１４、１５を回動付勢するねじりバネ４９，５０と、リンク機構１３の動きを制御する操作レバー１７とを備えている。スライダー１２は、上下方向にスライドし、上側の第１位置と下側の第２位置との間で変位する。スライダー１２の変位にリンク機構１３が連動する。スライダー１２が第２位置に変位したとき、リンク機構１３を構成するフラットバー３５、３６の成す角度θは、１８０°よりも大きい。【選択図】図８
2013094113.tif 000002
【特許請求の範囲】
【請求項１】
ベースと、
当該ベースに設けられ、当該ベースから所定方向の第１向き側に突出した第１位置及び当該第１位置から所定方向の反第１向きである第２向きに沿ってスライドすることにより上記ベースに進入した第２位置の間で変位可能なスライダーと、
当該スライダーの上記第１向き側の端面を上記第１向きに変位させるように常時弾性力を付与する付勢部材と、
先端部及び基端部を有し、これらの中間部位が上記ベースに回動自在に軸支され且つ上記スライダーを挟んで対向配置されており、回動することによって上記スライダーと協働して当該スライダーの上記第１向き側の端面に配置された釣竿を保持する保持姿勢と当該保持を解除する解除姿勢との間で姿勢変化する一対の揺動アームと、
一対のリンク部材を有し、当該一対のリンク部材の第１端部が上記一対の揺動アームの基端部にそれぞれ回動自在に軸支されると共に当該一対のリンク部材の第２端部同士が回動自在に連結された連結部を形成するリンク機構と、
上記第２位置に達したスライダーに当接して当該第２位置から第２向きへの変位を規制すると共に、上記連結部を第１向きに押圧することにより当該連結部を同向きに変位させる操作レバーとを備え、
上記連結部は、
上記スライダーが上記第１位置から上記第２位置に変位する過程で上記一対のリンク部材の成す角度θが漸次大きくなり、上記スライダーが上記第２位置に達する前に当該角度θが１８０°（ｄｅｇｒｅｅ）となるように、上記スライダーと連結されている釣竿支持装置。
【請求項２】
上記所定方向が上下方向、上記第１向きが上向き及び上記第２向きが下向きである請求項１に記載の釣竿支持装置。
【請求項３】
上記スライダーは、
上記ベースに支持されたポットと、
当該ポットに内嵌され且つ上記所定方向に沿ってスライド自在に支持されたピストンと、
上記付勢部材とを備えており、
当該付勢部材は、上記ポットとピストンとの間に介在され、当該ピストンを上記ポットに対して上記第１向きに弾性的に付勢するバネである請求項１又は２に記載の釣竿支持装置。
【請求項４】
上記ベースと上記揺動アームとの間に介在され、上記揺動アームの基端部同士が近接する向きに弾性力を付与するねじりバネがさらに備えられている請求項１から３のいずれかに記載の釣竿支持装置。
【請求項５】
上記一対のリンク部材は、
当該リンク部材の第１端部がそれぞれ対応する一対の揺動アームの基端部に第１連結ピンを介して連結されたフラットバーからなり、
上記連結部は、上記一対のリンク部材の第２端部同士が第２連結ピンを介して連結されており、
当該第２連結ピンは、上記スライダーの上記第２向き側の端部に連結されている請求項１から４のいずれかに記載の釣竿支持装置。
【請求項６】
上記スライダーの上記第１向き側の端部に、釣竿が載置されるシートが設けられており、
当該シートは、上記釣竿の周方向に沿う２箇所で当該釣竿と当接し且つ当該釣竿の外周面と長手方向に沿って当接するシート面を備えている請求項１から５のいずれかに記載の釣竿支持装置。
【請求項７】
上記シート面は、上記シートに形成されたＶ字状溝の壁面により形成されている請求項６に記載の釣竿支持装置。
【請求項８】
上記揺動アームは、
上記ベースに軸支されると共に上記リンク部材と連結され且つ当該揺動アームの基端部を形成するコアと、
当該コアに設けられ、当該揺動アームの先端部を形成する樹脂製パッドとを備え、
上記一対の揺動アームが上記保持姿勢となった状態で上記樹脂製パッドの上記スライダーと対向する面は、当該面間の距離が上記第１向きに沿って漸次小さくなるように傾斜されている請求項１から７のいずれかに記載の釣竿支持装置。
【発明の詳細な説明】
【技術分野】
【０００１】
本発明は、釣竿を船体等に対して着脱自在に支持する釣竿支持装置の構造に関するものである。
【背景技術】
【０００２】
たとえば船釣りでは、一般に、釣竿は船縁に支持される。船釣りで使用される釣竿は、通常、釣糸リール（以下、単に「リール」という。）を装着している。このリールを備えた釣竿を支持するための装置が従来から提案されている（たとえば、特許文献１及び特許文献２参照）。
【０００３】
従来の釣竿支持装置は、釣竿に固定される嵌合部材（典型的には固定ピン）と、船縁に固定される被嵌合部材（典型的には上記固定ピンを固定するホルダ）とを有し、釣人が釣竿を持って嵌合部材を被嵌合部材に嵌め合わせることによって、当該釣竿が船縁に固定されるようになっている。なお、従来の釣竿支持装置は、嵌合解除機構も備えている。釣人は、この嵌合解除機構を操作することによって上記嵌合部材と上記被嵌合部材との嵌合を解除させ、釣竿を船縁から離脱させて操作することができる。
【０００４】
ところが、前述の釣竿支持装置では、上記嵌合部材が常に釣竿に装着されることになるから、釣竿支持装置を構成する部品点数が多く、構造が複雑となっていた。また、釣人が釣竿を操作する際に上記嵌合部材が邪魔になることもあった。
【０００５】
これらの問題が解決されるために、釣竿を直接保持する釣竿支持装置が提案された（たとえば、特許文献３、特許文献４参照）。この釣竿支持装置は、上記嵌合部材を備えておらず、一対の開閉アームと、この開閉アームを開閉するアーム開閉機構を備えている。そして、開閉アームが閉じられることにより釣竿の所定部位（典型的にはグリップやバット部）が当該開閉アームによって直接把持され、開閉アームが開かれることにより、釣竿が釣竿支持装置から取り外される。
【先行技術文献】
【特許文献】
【０００６】
【特許文献１】特開平８−８４５５０号公報
【特許文献２】特開平８−１８７０４６号公報
【特許文献３】特開平８−２６６２０５号公報
【特許文献４】特開２０００−１１６２９９号公報
【発明の概要】
【発明が解決しようとする課題】
【０００７】
上記アーム開閉機構は、一対の開閉アームの間に配置された押圧部材が所定方向に押圧されることにより、リンクを介して開閉アームを駆動する構造を備えている。そして、開閉アームが閉じられると、当該当該開閉アームを閉じた姿勢にロックするロックレバーが上記押圧部材に係合し、一対の開閉アームが当該閉じた姿勢にロックされる。釣人は、上記ロックレバーを操作して上記係合を解除することにより、上記開閉アームが開いて釣竿が取り外される。
【０００８】
ところで、実釣において大型の魚がヒットした場合、釣竿支持装置によってホールドされている釣竿に大きな曲げモーメントが作用する。このため、釣竿をホールドしている開閉アームに支持反力が作用し、当該開閉アームの先端部（すなわち、釣竿が当接している部分）は、開かれる方向に力を受ける。
【０００９】
従来の釣竿支持装置では、開閉アームが開かれる方向に力を受けると、上記リンクを介して上記ロックレバーにきわめて大きな力が作用する。この力は、上記ロックレバーと押圧部材とがより強固に係合する方向に作用する。その結果、大型魚がヒットした場合に、釣人は、釣竿支持装置から釣竿を外すことが困難になることがあった。また、上記ロックレバーと押圧部材とがより強固に係合する方向に大きな力が作用した場合、ロックレバーが変形して当該ロックレバーと押圧部材との係合が解除されてしまうおそれもあった。
【００１０】
そこで、本発明は、開閉アームが開かれる方向に力を受けた場合であっても、つまり、実釣において大型魚がヒットした場合であっても、確実に釣竿をホールドすることができると共に簡単な操作により釣竿のロックが容易に解除される釣竿支持装置を提供することである。
【課題を解決するための手段】
【００１１】
(1) 本発明に係る釣竿支持装置は、ベースと、当該ベースに設けられ、当該ベースから所定方向の第１向き側に突出した第１位置及び当該第１位置から所定方向の反第１向きである第２向きに沿ってスライドすることにより上記ベースに進入した第２位置の間で変位可能なスライダーと、当該スライダーの上記第１向き側の端面を上記第１向きに変位させるように常時弾性力を付与する付勢部材と、先端部及び基端部を有し、これらの中間部位が上記ベースに回動自在に軸支され且つ上記スライダーを挟んで対向配置されており、回動することによって上記スライダーと協働して当該スライダーの上記第１向き側の端面に配置された釣竿を保持する保持姿勢と当該保持を解除する解除姿勢との間で姿勢変化する一対の揺動アームと、一対のリンク部材を有し、当該一対のリンク部材の第１端部が上記一対の揺動アームの基端部にそれぞれ回動自在に軸支されると共に当該一対のリンク部材の第２端部同士が回動自在に連結された連結部を形成するリンク機構と、上記第２位置に達したスライダーに当接して当該第２位置から第２向きへの変位を規制すると共に、上記連結部を第１向きに押圧することにより当該連結部を同向きに変位させる操作レバーとを備える。上記連結部は、上記スライダーが上記第１位置から上記第２位置に変位する過程で上記一対のリンク部材の成す角度θが漸次大きくなり、上記スライダーが上記第２位置に達する前に当該角度θが１８０°（ｄｅｇｒｅｅ）となるように、上記スライダーと連結されている。
【００１２】
この構成によれば、上記スライダーが上記ベースに対して上記所定方向に沿って上記第１位置あるいは第２位置にスライドすることにより、上記各揺動部材は、上記リンク機構を介して揺動し、保持姿勢と解除姿勢との間で姿勢変化する。つまり、各揺動アームの先端部同士は、上記スライダーを挟んで互いに近接してスライダーに配置された釣竿を挟持することができるし、また、各揺動アームの先端部同士は、互いに離反して釣竿の挿通を許容する。上記スライダーの第１向き側の端面は、常時上記第１向き側へ変位するように弾性付勢されているから、当該スライダーに配置された釣竿は、常に各揺動アームの先端部とスライダーとによって挟持される。
【００１３】
具体的には、釣人は、釣竿を持って当該釣竿を上記スライダーの第１向き側の端面に押し付ける。このスライダーは、釣竿と共に上記第２向きに押されてスライドし、第１位置から第２位置側へスライドする。このスライダーの動きに伴って上記リンク機構の連結部が第２向きに移動する。この連結部の移動によって各リンク部材の第１端部間の距離が大きくなり、各リンク部材同士の成す角度θが大きくなっていく。これにより、各揺動アームの基端部間の距離が大きくなって、各揺動アームの先端部同士が近接し、上記釣竿は、スライダーと各揺動アームの先端部とによって挟み込まれる。そして、スライダーが第２位置に到達する前に上記角度θが１８０°となり、当該スライダーが第２位置に到達したときは、上記角度θが１８０度を超える。
【００１４】
上記スライダーが第２位置に達した状態では、上記角度θが１８０°よりも大きくなって釣竿がホールドされているが、このとき、釣竿及びスライダーへの押圧力が除去されると、上記付勢部材の弾性力に対する反力が上記連結部に対して第２向きに作用するから、上記揺動アームの基端部同士が近接し、上記角度θが１８０°よりもさらに大きくなる傾向にある。しかし、上記操作レバーが設けられているから、上記スライダーが第２位置からさらに第２向きへ移動することが規制され、上記揺動アームは、解除姿勢に姿勢変化をすることなく保持姿勢の状態に維持される。換言すれば、上記角度θが１８０°よりも大きいときに釣竿及びスライダーへの押圧力が除去されたとしても、釣人が意図的に操作レバーを操作して上記連結部を第１向き側へ移動させない限り、上記揺動アームは解除姿勢へと変化しない。
【００１５】
しかも、上記スライダーが第２位置にあるとき、つまり、上記揺動アームが保持姿勢にあって且つ上記角度θが１８０°よりも大きい状態のとき、当該揺動アームの先端部同士が離反される向きに外力が付加されると、当該外力は、上記揺動アームの基端部同士を近接させる向きに作用する。このため、上記連結部は、上記操作レバーに押し付けられることになるから、当該外力によって揺動アームが保持姿勢から解除姿勢に変化することはない。
【００１６】
(2) 上記所定方向が上下方向、上記第１向きが上向き及び上記第２向きが下向きであるのが好ましい。
【００１７】
この場合、上記釣竿やスライダーは上下方向に沿って操作されることになるので、釣人にとって非常に操作がしやすい。
【００１８】
(3) 上記スライダーは、上記ベースに支持されたポットと、当該ポットに内嵌され且つ上記所定方向に沿ってスライド自在に支持されたピストンと、上記付勢部材とを備えており、当該付勢部材は、上記ポットとピストンとの間に介在され、当該ピストンを上記ポットに対して上記第１向きに弾性的に付勢するバネであるのが好ましい。
【００１９】
この構成によれば、上記スライダーの構造がきわめて簡単である。
【００２０】
(4) 上記ベースと上記揺動アームとの間に介在され、上記揺動アームの基端部同士が近接する向きに弾性力を付与するねじりバネがさらに備えられているのが好ましい。
【００２１】
この構成によれば、上記揺動アームは、ねじりバネの弾性力によってより確実に解除姿勢となるように付勢される。これにより、スライダーが第２位置にあるときは、より確実に釣竿がホールドされる。
【００２２】
(5) 上記一対のリンク部材は、当該リンク部材の第１端部がそれぞれ対応する一対の揺動アームの基端部に第１連結ピンを介して連結されたフラットバーからなり、上記連結部は、上記一対のリンク部材の第２端部同士が第２連結ピンを介して連結されており、当該第２連結ピンは、上記スライダーの上記第２向き側の端部に連結されているのが好ましい。
【００２３】
この構成では、リンク機構がきわめて簡単であり、揺動アームが確実に作動する。
【００２４】
(6) 上記スライダーの上記第１向き側の端部に、釣竿が載置されるシートが設けられていてもよい。このシートは、上記釣竿の周方向に沿う２箇所で当該釣竿と当接し且つ当該釣竿の外周面と長手方向に沿って当接するシート面を備えているのが好ましい。
【００２５】
この構成では、釣竿は上記シートのシート面に当接した状態で上記所定方向に沿って操作される。しかも、釣竿は、上記シート面と２箇所で接しつつ操作されるので、釣人は、釣竿を安定して操作することができる。
【００２６】
(7) 上記シート面は、上記シートに形成されたＶ字状溝の壁面により形成され得る。
【００２７】
この場合、上記シート面は、簡単且つ安価に形成される。
【００２８】
(8) 上記揺動アームは、上記ベースに軸支されると共に上記リンク部材と連結され且つ当該揺動アームの基端部を形成するコアと、当該コアに設けられ、当該揺動アームの先端部を形成する樹脂製パッドとを備えて構成される。上記一対の揺動アームが上記保持姿勢となった状態で上記樹脂製パッドの上記スライダーと対向する面は、当該面間の距離が上記第１向きに沿って漸次小さくなるように傾斜されているのが好ましい。
【００２９】
この構成では、樹脂製パッドが釣竿に当接するので、揺動アームが釣竿に損傷を与えることがない。また、樹脂製パッドの上記面が前述のように傾斜されているから、釣竿の外径が異なる場合であっても、樹脂製パッドは確実に釣竿と当接することができる。つまり、揺動アームは、異なる外径の釣竿を保持することができる。
【発明の効果】
【００３０】
この発明では、揺動アームの動作は、一対のリンク部材によって規定され、これらリンク部材が成す角度によって、リンク機構の連結部が付勢される向きが変化する。すなわち、リンク部材が成す角度θが１８０°よりも大きい場合は、付勢部材による弾性力は、上記連結部を操作レバーに押し付けることになると共に、当該連結部の変位は、操作レバーによって規制される。したがって、揺動アームが釣竿を保持している状態で、揺動アームが開かれる方向に力が作用した場合であっても、つまり、実釣において大型魚がヒットした場合であっても、確実に釣竿がホールドされる。しかも、操作レバーが第１向きに操作されるだけで、簡単に釣竿のロックが解除される。
【図面の簡単な説明】
【００３１】
【図１】図１は、本発明の一実施形態に係る釣竿支持装置の斜視図である。
【図２】図２は、本発明の一実施形態に係る釣竿支持装置の正面図である。
【図３】図３は、本発明の一実施形態に係る釣竿支持装置の背面図である。
【図４】図４は、本発明の一実施形態に係る釣竿支持装置の右側面図である。
【図５】図５は、本発明の一実施形態に係る釣竿支持装置の一部断面正面図である。
【図６】図６は、本発明の一実施形態に係る釣竿支持装置の平面図である。
【図７】図７は、図２におけるVII−VII断面図である。
【図８】図８は、本発明の一実施形態に係る釣竿支持装置の揺動アームの姿勢変化を示す図である。
【図９】図９は、本発明の一実施形態に係る釣竿支持装置のポットの正面図である。
【図１０】図１０は、本発明の一実施形態に係る釣竿支持装置のポットの平面図である。
【図１１】図１１は、図９におけるXI−XI断面図である。
【図１２】図１２は、本発明の一実施形態に係る釣竿支持装置のピストンの正面図である。
【図１３】図１３は、本発明の一実施形態に係る釣竿支持装置のピストンの平面図である。
【図１４】図１４は、図１２におけるXIV−XIV断面図である。
【図１５】図１５は、本発明の一実施形態に係る釣竿支持装置のピストンの縦断面図である。
【図１６】図１６は、図５における要部拡大図である。
【図１７】図１７は、本発明の一実施形態に係る釣竿支持装置のシートの斜視図である。
【図１８】図１８は、本発明の一実施形態に係る釣竿支持装置のシートの平面図である。
【図１９】図１９は、図１８におけるXIX−XIX断面図である。
【図２０】図２０は、本発明の一実施形態の変形例に係る釣竿支持装置の要部拡大正面図である。
【図２１】図２１は、本発明の一実施形態の変形例に係るシートの一部断面正面図である。
【発明を実施するための形態】
【００３２】
以下、適宜図面が参照されつつ、好ましい実施形態に基づいて本発明が詳細に説明される。
【００３３】
［概略構成と特徴点］
【００３４】
図１は、釣竿支持装置１０が釣竿１１を支持している状態を示している。この釣竿支持装置１０は、一般に船釣りに供され、図示されていない固定治具を介して船縁に固定される。また、一般に釣竿は、釣竿本体、グリップ及びリールシートを備えており、本実施形態では、釣竿本体が釣竿支持装置１０によって支持されている。もっとも、釣竿１１のうち上記リールシートやグリップが釣竿支持装置１０に支持されてもよい。
【００３５】
この釣竿支持装置１０は、実釣において釣竿１１を保持し且つ当該保持を解除することができる。図８が示すように、スライダー１２に釣竿１１が載置され、上下方向１８（特許請求の範囲に記載された「所定方向」に相当）の下向き（特許請求の範囲に記載された「第２向き」に相当）に押されることにより、リンク機構１３を介して揺動アーム１４、１５が姿勢変化し（同図（ｂ）参照）、釣竿１１がスライダー１２と揺動アーム１４、１５とによって挟み込まれて保持されるようになっている。
【００３６】
本実施形態に係る釣竿支持装置１０の特徴とするところは、上記リンク機構１３の構造である。すなわち、このリンク機構１３が後述の構造を備えることにより、釣竿支持装置１０が釣竿１１を支持している状態で大型の魚がヒットした場合であっても釣竿１１は確実に保持され、しかも、釣人が簡単な操作を行うことによって釣竿１１が釣竿支持装置１０から容易に取り外されるようになっている。
【００３７】
［構造］
【００３８】
図１並びに図２ないし図８が示すように、釣竿支持装置１０は、ベース１６と、ベース１６の中央に配置されたスライダー１２と、ベース１６に設けられた揺動アーム１４、１５と、スライダー１２の動きに連動して揺動アーム１４、１５を駆動するリンク機構１３と、揺動アーム１４、１５を講述のように回動付勢するねじりバネ４９，５０と、リンク機構１３の動きを制御する操作レバー１７とを備えている。
【００３９】
［ベース］
【００４０】
ベース１６は、金属（典型的にはステンレス鋼）からなり、図１が示すように全体としてＵ字状に形成されている。具体的には、ベース１６は、基板１９と、基板１９の左右方向２０の両端に立設された一対のフォーク２１、２２と、フォーク２１、２２の間に配置された固定リング２３とを有する。基板１９、フォーク２１、２２、固定リング２３は、一体的に形成されている。フォーク２１、２２が基板１９の両側に配置されることにより、ベース１６の中央にキャビティ２４（図３参照）が形成されている。スライダー１２は、固定リング２３に嵌め込まれて支持された状態でキャビティ２４内に配置される。フォーク２１、２２は、それぞれ一対の対向する平板２５，２６を備えており、この一対の平板２５、２６の間に揺動アーム１４、１５が配置されている。
【００４１】
［スライダー］
【００４２】
図５が示すように、スライダー１２は、ポット２７と、ピストン２８と、バネ２９（特許請求の範囲に記載された「付勢部材」に相当）とを有する。図９から図１１が示すように、ポット２７は、上端面が開口された略円柱形状を呈している。ポット２７は中空に形成されており、当該開口が外部空間と内部空間とを連続している。つまり、ポット２７は、容器状に形成されている。図１０が示すように、ポット２７の内周面には、上下方向１８（図１０の紙面と垂直な方向）に沿ったスライド部３０が形成されている。スライド部３０は、ポット２７の内周面において９０度ずつ角度がずらされて合計４つが設けられている。スライド部３０は、上下方向１８に沿った溝３１を有している。図１から図３が示すように、ポット２７は、ベース１６の中央のキャビティ２４において、固定リング２３の内側に保持されている。ポット２７は、固定リング２３の内側を、図８（ａ）に示す第１位置から、図８（ｂ）に示す第２位置までの範囲を上下方向１８に移動自在である。
【００４３】
また、図９及び図１１が示すように、ポット２７の外底面に一対の結合板３２が設けられている。これら一対の結合板３２は、平板からなり、下向きに突出している。図５及び図８が示すように、各結合板３２にリンク機構１３の連結部５１が連結されている。具体的には、リンク機構１３を構成するフラットバー３５、３６の第２端部３８が第２連結ピン３４を介して結合板３２に回動自在に連結されている。つまり、フラットバー３５、３７６の第２端部３８同士が重合して上記連結部５１を構成している。
【００４４】
さらに、図９及び図１０が示すように、ポット２７の外周面にキー５３が突設されている。このキー５３は、上記固定リング２３（図１参照）に設けられたキー溝５４と嵌合しており、キー溝５４に沿って上下方向１８に相対移動することができる。なお、図１では図示されていないが、キー溝５４は、固定リング２３の中央を挟んで対向する位置にも設けられている。
【００４５】
図１２から図１５が示すように、ピストン２８は略円筒形状を呈している。ピストン２８は、ポット２７の内部空間に収容可能である。ピストン２８の外周面に突起３９が設けられている。突起３９は、ピストン２８の外周面において９０度ずつ角度がずらされて合計４つが設けられている。４つの突起３９は、それぞれピストン２８の下端部近傍から径方向に突出されている。
【００４６】
図７が示すように、ピストン２８は、ポット２７の内部空間に収容されており、４つの突起３９がそれぞれスライド部３０の溝３１に嵌め合わされる。突起３９は、それぞれ溝３１の内部を上下方向１８（図７の紙面と垂直な方向）に沿って移動することができる。これにより、ピストン２８がポット２７に対してスライド可能とされている。図５が示すように、ポット２７の内部空間の底にはピストン２８を上方に付勢するバネ２９が設けられている。バネ２９は、ポット２７とピストン２８との間に配置されたコイルバネである。これにより、ピストン２８は、平常時において、ポット２７の上端の開口から上方に突出した状態にある。
【００４７】
図１６が示すように、ピストン２８の上端には、釣竿１１が載置されるシート４０が取り付けられている。シート４０は、たとえば樹脂によって形成されている。図１６から図１９が示すように、シート４０の上部には、釣竿１１と当接するシート面４１が形成されている。図１６及び図１９が示すように、前後方向４２（図１６、図１９の紙面と垂直な方向）から見て、シート面４１は、略Ｖ字状に形成され、中央部が陥没している。シート面４１の中央部（底に相当する部分）は釣竿１１とは当接せず、底よりも左右方向２０の両外側において、シート面４１が釣竿１１と当接する。図１９には、内径の異なる３つの釣竿１１を示しているが、いずれの釣竿１１においても、底よりも左右方向２０の両外側の２箇所において、シート面４１が釣竿１１と当接している。なお、図１６、図１９には断面のみを示しているが、シート面４１は、前後方向４２に沿って釣竿１１と当接している。
【００４８】
［揺動アーム］
【００４９】
図１、図５及び図６が示すように、揺動アーム１４、１５は、略棒状に形成された金属製のコア４３、４４と、コア４３、４４の先端部に取り付けられた樹脂製のパッド４５、４６とを有する。コア４３、４４は先端部（図５における上方側の端部）が鍵状に湾曲されており、当該先端部にパッド４５、４６が取り付けられている。パッド４５、４６は、コア４３、４４の先端部の大部分を被覆している。
【００５０】
図１が示すように、揺動アーム１４は、フォーク２１に取り付けられており、揺動アーム１５は、フォーク２２に取り付けられている。フォーク２１、２２において、それぞれ平板２５、２６の間に揺動アーム１４、１５の一部が収容されて取り付けられている。図５が示すように、平板２５、２６（図１参照）は、軸４７Ａ、４７Ｂを介して揺動アーム１４、１５と連結されている。つまり、軸４７Ａ、４７Ｂは、前後方向４２に沿って平板２５、２６及び揺動アーム１４、１５の軸穴４８に挿通されて、これにより、揺動アーム１４、１５が回動自在となっている。この軸穴４８は、揺動アームの１４、１５の中間部位に設けられている。図１が示すように、揺動アーム１４，１５の先端部（軸穴４８よりも先端側）は、フォーク２１、２２の外側に延出されている。揺動アーム１４、１５の基端部は、平板２５、２６の間に概ね収容されている。なお、揺動アーム１４，１５の基端部には、第１連結ピン３３Ａ，３３Ｂ（図５参照）を介して、後述するフラットバー３５，３６（図５参照）の第１端部３７が回動自在に連結されている。
【００５１】
動作の詳細については後述するが、揺動アーム１４，１５は、軸４７Ａ，４７Ｂを中心に先端部が開かれた解除姿勢（図８（ａ）参照）と、閉じられた保持姿勢（図８（ｂ）参照）との間で、回動し姿勢変化する。揺動アーム１４，１５は、保持姿勢において釣竿１１を固定する。その際、図１６が示すように、釣竿１１は、シート４０のシート面４１と揺動アーム１４、１５とによって挟み込まれた状態になる。揺動アーム１４，１５は、その長手方向が上下方向１８に沿っており、先端部が上方に位置している。揺動アーム１４，１５の先端近傍部分は左右方向２０の内側に湾曲しており、２つのパッド４５，４６が左右方向２０に沿って並設された状態となる。２つのパッド４５，４６が協働して釣竿１１の上半部を覆っている。
【００５２】
図１６が示すように、パッド４５，４６の内側の面５５が釣竿１１の周面にそれぞれ当接されている。当該面５５は、釣竿１１側に向かって膨らんでいる。そして、当該面５５同士の距離は、上方に向かうほど小さくなっている。したがって、２つのパッド４５，４６は、釣竿１１と２箇所で接触しており、当該接触している部分以外の部分では、各パッド４５，４６は釣竿１１と当接していない。なお、パッド４５、４６は、前後方向４２（同図の紙面と垂直な方向）に沿って釣竿１１と線接触している。
【００５３】
［リンク機構］
【００５４】
図５、図８が示すように、リンク機構１３は、平板棒状のフラットバー３５、３６（特許請求の範囲に記載された「リンク部材」に相当）を有している。フラットバー３５は、前後方向４２に挿通された第１連結ピン３３Ａを介して、長手方向の一方の端部である第１端部３７が、揺動アーム１４の基端部と回動自在に連結されている。同様にフラットバー３６は、前後方向４２に挿通された第１連結ピン３３Ｂを介して、第１端部３７が、揺動アーム１５の基端部と回動自在に連結されている。第１端部３７と反対側の端部である第２端部３８は、それぞれ、フォーク２１、２２から中央側のキャビティ２４に進入している。第２端部３８は、それぞれ、前後方向４２に挿通された第２連結ピン３４を介して、ポット２７の結合板３２と回動自在に連結されている。前述のように、第２端部３８が連結されることによって上記連結部５１が構成されている。
【００５５】
［ねじりバネ］
【００５６】
図５、図８が示すねじりバネ４９，５０は、揺動アーム１４，１５をそれぞれ、先端部が互いに開く向き（解除姿勢側）に付勢するものである。ねじりバネ４９，５０は、揺動アーム１４，１５とベース１６との間に配置されている。ねじりバネ４９，５０の中央部に軸４７Ａ，４７Ｂが挿通されている。つまり、ねじりバネ４９，５０は、揺動アーム１４，１５の上記中間部位に取り付けられている。
【００５７】
［操作レバー］
【００５８】
図１、図４が示すように、操作レバー１７は、薄平な棒形状を呈している。操作レバー１７は、キャビティ２４の内部に進入している。操作レバー１７は、スライダー１２及びリンク機構１３の下側において、前後方向４２に沿って配置されている。スライダー１２よりも後方位置において、キャビティ２４の後端部が、ベース１６に設けられたレバー取付部５２（図４に図示）に軸支されている。これにより、操作レバー１７は、図４の位置からレバー取付部５２を中心に時計回りに回動することができる。キャビティ２４よりも前方では、操作レバー１７が上方へ傾斜され、より高い位置に位置している。これは、釣人が操作レバー１７を操作することを容易とするためである。この部分が釣人によって押し上げられることで、操作レバー１７が回動し、上記連結部５１及びスライダー１２を押し上げる。詳細については後述される。
【００５９】
［操作要領］
【００６０】
まず、揺動アーム１４，１５が解除姿勢にあるとき、釣人が釣竿１１を釣竿支持装置１０に固定する手順が説明される。
【００６１】
図８（ａ）が示すように、揺動アーム１４，１５が解除姿勢にあるとき、保持姿勢の状態にあるときに比べて揺動アーム１４，１５の基端部同士が左右方向２０に沿って近接する。そのため、リンク機構１３は、フラットバー３５，３６が左右方向２０を長手方向として一直線に並んだ状態になることはできず、第２端部３８を中心にフラットバー３５，３６が上方に凸となる山形に形成される。これにより、スライダー１２が上方へ押し上げられている。このときのスライダー１２の位置が第１位置と称される。ねじりバネ４９，５０の弾性力によって、揺動アーム１４，１５は先端部同士が離反する向きに付勢されているため、外力が作用しない状態では、揺動アーム１４，１５及びリンク機構１３は、この状態を維持する。
【００６２】
釣人が、釣竿１１をシート４０のシート面４１に載置して、釣竿１１ごとピストン２８を下方へ押し下げると、ピストン２８がポット２７の内部を下方へスライドする。ピストン２８を押し下げる力がねじりバネ４９，５０の弾性力よりも大きい場合、ピストン２８がバネ２９を縮短させ、ポット２７を下方へ押し下げる。これにより、スライダー１２が固定リング２３に案内された状態で当該固定リング２３の内側を下方へ移動する。スライダー１２の移動により、結合板３２が下方に押し下げられる。
【００６３】
結合板３２が下方へ移動するに伴って、上記連結部５１も下方へ移動する。この移動に伴って、第２端部３８を中心とする２つのフラットバー３５，３６が為す角度θが漸次大きくなる。フラットバー３５，３６は、左右方向２０を長手方向として一直線に並んだ状態（角度θが１８０°）となり、スライダー１２はそこから更に下方まで移動することが可能である。つまり、最終的に角度θは１８０°よりも僅かに大きくなり、スライダー１２は、フラットバー３５，３６の第２端部３８が第１端部３７よりも僅かに下方に位置するまで下げられる。スライダー１２の移動は、連結部５１が操作レバー１７に当接することによって止められる（図８（ｂ）の状態）。このときのスライダー１２の位置が、第２位置と称される。
【００６４】
図８（ｂ）が示すように、スライダー１２が第２位置にある状態では、フラットバー３５，３６の先端が近接して保持姿勢となっている。ピストン２８がポット２７に対して上方へ付勢されているため、釣竿１１はシート４０とパッド４５，４６とによって上下から挟み込まれて固定された状態となっている。
【００６５】
スライダー１２が第２位置に移動した後、釣人は、釣竿１１の押圧を中止する。このとき、ねじりバネ４９，５０の弾性力によって揺動アーム１４，１５は再び先端側が開こうとする。しかし、角度θが１８０°よりも大きくなっているため、揺動アーム１４，１５がフラットバー３５，３６の第１端部３７を左右方向２０の中央側へ移動させようとする力は、連結部５１を下方へ移動させる向きに作用する。連結部５１の下方への移動は操作レバー１７によって阻止されているため、フラットバー３５，３６の第１端部３７が中央側へ移動することはできず、その結果、揺動アーム１４，１５の先端側が開くことが阻止される。
【００６６】
続いて、釣人が、釣竿支持装置１０から釣竿１１を取り外す際の手順が説明される。
【００６７】
釣人は、操作レバー１７を上方へ押し上げる。連結部５１がスライダー１２と共に上向き（特許請求の範囲に記載された「第１向き」に相当）に移動されて、角度θが１８０°よりも小さくなる。このため、フラットバー３５，３６の第１端部３７が左右方向２０の中央側へ移動可能となり、ねじりバネ４９，５０の弾性力によって揺動アーム１４，１５が回動し、その先端部同士が離反する。こうして、揺動アーム１４，１５は、解除姿勢へと変化する。また、スライダー１２が第１位置まで移動すると、釣竿支持装置１０は、図８（ａ）に示す状態に復帰する。
【００６８】
［実施形態の作用効果］
【００６９】
本実施形態に係る釣竿支持装置１０によれば、フラットバー３５，３６の為す角度θが１８０°よりも大きいときにスライダー１２への押圧力が除去されたとしても、釣人が意図的に操作レバー１７を操作して上記連結部５１を上方へ移動させない限り、揺動アーム１４，１５は解除姿勢へと変化しない。したがって、釣竿１１が確実に固定される。一方、上記連結部５１が上方へ移動された場合には、揺動アーム１４，１５は、容易に解除姿勢へと変化することができるので、釣竿１１が簡単に取り外される。
【００７０】
また、釣竿１１やスライダー１２は上下方向に沿って操作されることになるので、釣人にとって非常に操作がしやすい。
【００７１】
また、リンク機構１３、揺動アーム１４，１５、及びスライダー１２などの各部の構造がきわめて簡単であるため、釣竿支持装置１０は、低コストに生産される。また、揺動アーム１４，１５の姿勢を維持するために、留め具などを引っ掛ける構成を採用していないので、剛性をきわめて高くすることができる。
【００７２】
また、パッド４５，４６及びシート４０によって、上下方向から２箇所ずつが釣竿１１に当接されるため、釣竿１１はより一層安定的に固定される。また、異なる内径の釣竿１１を固定することも可能である。
【００７３】
［変形例］
【００７４】
次に、本実施形態の変形例について説明される。
【００７５】
図２０は、本発明の変形例に係るスライダー１２を示している。同図（ａ）は上記実施形態に係るスライダー１２のシート４０を示しており、同図（ｂ）が本変形例に係るスライダー１２のシート６０を示している。本変形例では、シートの形状のみが上記実施形態と相違している。
【００７６】
本変形例に係るシート６０は、上記実施形態のシート４０よりも全高が高くされており、また、左右方向２０における中央の窪みの幅が小さくされている。図２１には、内径の異なる３つの釣竿１１を示している。内径の比較的大きな２つの釣竿１１は、底よりも左右方向２０の両外側の２箇所において、シート面４１と当接している。一方、内径が最も小さな釣竿１１は、窪みの中に入り込んだ状態となり、下側の周面に沿ってシート４０と当接している。このように、本変形例に係るシート６０によれば、多様な内径の釣竿１１が確実に固定され得る。
【００７７】
なお、スライダー１２に対して、シート４０及びシート６０が着脱自在に構成されていてもよい。これにより、釣人がシート４０又はシート６０を選択的に使用することができ、また、シート４０又はシート６０が劣化した際にも交換が容易となる。
【符号の説明】
【００７８】
１０・・・釣竿支持装置
１１・・・釣竿
１２・・・スライダー
１３・・・リンク機構
１４，１５・・・揺動アーム
１６・・・ベース
１７・・・操作レバー
２７・・・ポット
２８・・・ピストン
２９・・・バネ（付勢部材）
３３Ａ，３３Ｂ・・・第１連結ピン
３４・・・第２連結ピン
３５，３６・・・フラットバー（リンク部材）
３７・・・第１端部
３８・・・第２端部
４０，６０・・・シート
４１，６１・・・シート面
４３，４４・・・コア
４５，４６・・・パッド（樹脂製パッド）
４９，５０・・・ねじりバネ
５１・・・連結部
【図１】
2013094113.tif 000003
【図２】
2013094113.tif 000004
【図３】
2013094113.tif 000005
【図４】
2013094113.tif 000006
【図５】
2013094113.tif 000007
【図６】
2013094113.tif 000008
【図７】
2013094113.tif 000009
【図８】
2013094113.tif 000010
【図９】
2013094113.tif 000011
【図１０】
2013094113.tif 000012
【図１１】
2013094113.tif 000013
【図１２】
2013094113.tif 000014
【図１３】
2013094113.tif 000015
【図１４】
2013094113.tif 000016
【図１５】
2013094113.tif 000017
【図１６】
2013094113.tif 000018
【図１７】
2013094113.tif 000019
【図１８】
2013094113.tif 000020
【図１９】
2013094113.tif 000021
【図２０】
2013094113.tif 000022
【図２１】
2013094113.tif 000023